(57)【要約】      （修正有）【課題】コンピュータ入力システムの演算量を減少させ、作動効率を向上する。【解決手段】演算量分担機能付きコンピュータ入力システム１００は、第１電子装置、第２電子装置及びマウスを有し、マウスが実行される演算量が第１演算量及び第２演算量を含み、マウスが第１演算量を実行し、第２電子装置が第２演算量を実行するように、第２演算量を第２電子装置に伝送する。【選択図】図１
2019169134.tif 000002
【特許請求の範囲】
【請求項１】
第１電子装置と、
第２電子装置と、
前記第１電子装置又は前記第２電子装置に選択的に接続するマウスと、
を備え、
前記マウスが前記第１電子装置に接続し且つ前記マウスが前記第１電子装置の操作に関連する第１演算量を実行する場合、前記マウスがさらに第２演算量を実行すると、前記マウスから前記第２演算量を前記第２電子装置に出力し、前記第２電子装置による前記第２演算量の実行が完了した実行結果を受信し、
前記第２演算量と前記第１演算量との対応の機能操作が互いに異なる、演算量分担機能付きコンピュータ入力システム。
【請求項２】
前記マウスが前記第１電子装置に有線接続している場合、前記マウスが前記第２演算量を前記第２電子装置に無線で出力する、請求項１に記載の演算量分担機能付きコンピュータ入力システム。
【請求項３】
前記マウスが前記第１電子装置に無線接続している場合、前記マウスから前記第２演算量を前記第２電子装置に出力すると、前記マウスが前記第１電子装置との接続を一時的に停止させると共に前記第２電子装置に無線接続し、前記マウスによる前記第２演算量の前記第２電子装置への無線出力が完了した後、前記マウスが前記第２電子装置の実行結果を受信してから前記第２電子装置との無線接続を停止させると共に再度前記第１電子装置に無線接続する、請求項１に記載の演算量分担機能付きコンピュータ入力システム。
【請求項４】
前記マウスが前記第１電子装置に無線接続している場合、前記マウスから前記第２演算量を前記第２電子装置に出力すると、前記マウスが前記第１電子装置との無線接続を一時的に停止させると共に前記第２電子装置に無線接続し、前記マウスによる前記第２演算量の前記第２電子装置への無線出力が完了した後、前記マウスが前記第２電子装置との無線接続を停止させると共に前記第１電子装置に無線接続した後、前記マウスが所定の時間毎に前記第１電子装置との無線接続を停止させると共に前記第２電子装置に無線接続し、前記第２電子装置による前記第２演算量の実行が完了したか否かを判断し、前記第２電子装置による前記第２演算量の実行が完了したと判断した場合、前記マウスが実行結果をそのまま受信する、請求項１に記載の演算量分担機能付きコンピュータ入力システム。
【請求項５】
前記第２電子装置が前記第２演算量を受信した場合、前記第２電子装置から前記第２演算量をクラウドサーバに出力し、前記クラウドサーバにより前記第２演算量を処理し、前記クラウドサーバによる前記第２演算量の実行が完了した後、実行結果を前記第２電子装置に返信する、請求項１に記載の演算量分担機能付きコンピュータ入力システム。
【請求項６】
マウス、第１電子装置及び第２電子装置を備る演算量分担機能付きコンピュータ入力システムに応用される演算量分担機能付きコンピュータ入力方法であって、
前記マウスにより前記第１電子装置を接続することと、
前記マウスが操作により前記第１電子装置に関連する第１演算量を実行することと、
前記マウスが操作により第２演算量を前記第２電子装置に出力することと、
前記マウスが、前記第２電子装置による前記第２演算量の実行が完了した実行結果を受信することと、
を含み、
前記第２演算量と前記第１演算量との対応の機能操作が互いに異なる、演算量分担機能付きコンピュータ入力方法。
【請求項７】
前記マウスが前記第１電子装置に有線接続している場合、前記マウスが前記第２演算量を前記第２電子装置に無線で出力する、請求項６に記載の演算量分担機能付きコンピュータ入力方法。
【請求項８】
前記マウスが前記第１電子装置に無線接続している場合、前記マウスから前記第２演算量を前記第２電子装置に出力すると、前記マウスが前記第１電子装置との接続を一時的に停止させると共に前記第２電子装置に無線接続し、前記マウスによる前記第２演算量の前記第２電子装置への無線出力が完了した後、前記マウスが前記第２電子装置の実行結果を受信すると、前記第２電子装置との無線接続を停止させると共に再度前記第１電子装置と無線接続する、請求項６に記載の演算量分担機能付きコンピュータ入力方法。
【請求項９】
前記マウスが前記第１電子装置に無線接続している場合、前記マウスから前記第２演算量を前記第２電子装置に出力すると、前記マウスが前記第１電子装置との無線接続を一時的に停止させると共に前記第２電子装置に無線接続し、前記マウスによる前記第２演算量の前記第２電子装置への無線出力が完了した後、前記マウスが前記第２電子装置との無線接続を停止させると共に前記第１電子装置に無線接続した後、前記マウスが所定の時間毎に前記第１電子装置との無線接続を停止させると共に前記第２電子装置に無線接続し、前記第２電子装置による前記第２演算量の実行が完了したかを判断し、前記第２電子装置による前記第２演算量の実行が完了したと判断した場合、前記マウスが実行結果をそのまま受信する、請求項６に記載の演算量分担機能付きコンピュータ入力方法。
【請求項１０】
前記第２電子装置が前記第２演算量を受信すると、前記第２電子装置から前記第２演算量をクラウドサーバに出力し、前記クラウドサーバにより前記第２演算量を処理し、前記クラウドサーバによる前記第２演算量の実行が完了した後、実行結果を前記第２電子装置に返信する、請求項６に記載の演算量分担機能付きコンピュータ入力方法。
【発明の詳細な説明】
【技術分野】
【０００１】
本発明は入力システムに関し、特に、演算量分担機能付きコンピュータ入力システム及びそのコンピュータ入力方法に関する。
【背景技術】
【０００２】
科学技術の発展に伴い、コンピュータ入力システム（例えば、マウスやキーボード）の機能がますます多様化している。しかしながら、多様化された機能には、必ず多量の演算量が発生し、例として、画面遅延又は音途切れをもたらす恐れがある。
【発明の概要】
【発明が解決しようとする課題】
【０００３】
そのため、如何に演算量の割り当てが可能なコンピュータ入力システムを設計するかが重要な課題になる。
【課題を解決するための手段】
【０００４】
本発明における実施例は、第１電子装置、第２電子装置及びマウスを備える演算量分担機能付きコンピュータ入力システムを提供する。マウスは、第１電子装置又は第２電子装置に選択的に接続する。マウスが第１電子装置に接続している場合、マウスにより第１電子装置の操作に関連する第１演算量を実行する。マウスがさらに第２演算量を実行する時、マウスにより第２演算量を第２電子装置へ出力し、第２電子装置による第２演算量の実行が完了した実行結果を受信する。第２演算量と第１演算量との対応の機能操作が互いに異なる。
【０００５】
本発明における実施例は、マウス、第１電子装置及び第２電子装置を備える演算量分担機能付きコンピュータ入力システムに応用される演算量分担機能付きコンピュータ入力方法を提供する。演算量分担機能付きコンピュータ入力方法は、マウスにより第１電子装置を接続させることと、マウスが操作により第１電子装置に関連する第１演算量を実行することと、マウスが操作により第２演算量を第２電子装置へ出力することと、を含む。マウスは、第２電子装置による第２演算量の実行が完了した実行結果を受信する。第２演算量と第１演算量との対応の機能操作が互いに異なる。
【０００６】
本発明の特徴及び技術内容がより一層判るように、以下本発明に関する詳細な説明と添付図面を参照するが、これらの説明と添付図面は本発明を説明するためのものに過ぎず、本発明の範囲が何ら制限されるものではない。
【図面の簡単な説明】
【０００７】
【図１】本発明のある実施例における演算量分担機能付きコンピュータ入力システムのブロック図である。
【図２】は本発明の他の実施例における演算量分担機能付きコンピュータ入力システムのブロック図である。
【図３】は本発明のまた他の実施例における演算量分担機能付きコンピュータ入力システムのブロック図である。
【図４】は本発明のある実施例における演算量分担機能付きコンピュータ入力方法の方法フロー図。
【発明を実施するための形態】
【０００８】
図１に示すように、図１は本発明のある実施例における演算量分担機能付きコンピュータ入力システム（以下、コンピュータ入力システム１００を称する）のブロック図である。コンピュータ入力システム１００は、複数の電子装置を備える。
【０００９】
コンピュータ入力システム１００は、第１電子装置１１０、第２電子装置１２０及びマウス１３０を備える。更に、第１電子装置１１０は、プロセッサー１１１及びトランシーバ１１３を含む。第２電子装置１２０は、プロセッサー１２１及びトランシーバ１２３を含む。マウス１３０は、プロセッサー１３１及びトランシーバ１３３を含む。第１電子装置１１０及び第２電子装置１２０は、例えば、ノート型コンピュータ、タブレットコンピュータ、据え置き型コンピュータ又は一体型（Ａｌｌ-ｉｎ-Ｏｎｅ）コンピュータなどの様々なコンピュータ装置であってもよいが、本発明はこれらに限定されない。
【００１０】
本実施例において、マウス１３０は第１電子装置１１０又は第２電子装置１２０に選択的に接続してよい。また、マウス１３０は有線又は無線で第１電子装置１１０又は第２電子装置１２０に接続してよい。例として、マウス１３０は、トランシーバ１３３を介して第１電子装置１１０のトランシーバ１１３に有線接続又は無線接続してよい。同様に、マウス１３０は、トランシーバ１３３を介して第２電子装置１２０のトランシーバ１２３に有線接続又は無線接続してもよい。つまり、マウス１３０のトランシーバ１３３は有線トランシーバ又は無線トランシーバであってもよい。無線トランシーバは、例えば、ブルートゥース通信モジュール又は無線周波数通信モジュールであってもよい。なお、マウス１３０が第１電子装置１１０に接続しているとき、マウス１３０のシーケンス番号及び第１電子装置１１０のシーケンス番号が第１組の識別コードを代表することができる。また、マウス１３０が第２電子装置１２０に接続しているとき、マウス１３０のシーケンス番号及び第２電子装置１２０のシーケンス番号が、第２組の識別コードを代表することができる。上記したシーケンス番号は、識別して使い分けるように、装置製品番号又は身分番号であってもよい。また、第１組の識別コードと第２組の識別コードとは、互いに異なり且つユニークなものであり、他の装置が識別マウス１３０と電子装置との接続状況を判断するように提供される。
【００１１】
ある実施例において、マウス１３０の処理する演算量が選択的にマウス１３０以外の他の装置により分担して処理されてよい。その場合、マウス１３０は、他の装置により分担の必要のある演算量に対して処理した実行結果を受信してもよい。例として、マウス１３０のプロセッサー１３１が実行する演算量は、例えば、第１演算量及び第２演算量を含んでよい。第１演算量は、例えば、マウス１３０の最初のカーソル検知又はマウスの入力介面操作の関連機能である。マウス１３０の入力介面操作が、例えば、マウスボタン又はマウスホイールの操作である。第２演算量は、例えば、マウスの付加機能操作である。ここで、付加機能操作は、画像処理、ファイルの分析及び統計、マクロ命令制御、音声識別、データファイルアクセス又は人間インタラクティブに関連する可能であるが、本発明はこれらに限定されない。本実施例に記載される第２演算量と第１演算量との対応の機能操作が互いに異なる。
【００１２】
更に、マウス１３０は、第１電子装置１１０に接続しているとき、第１電子装置１１０操作に関連する第１演算量を実行するようにしてもよい。例えば、マウス１３０は、第１電子装置１１０に接続しているとき、第１電子装置１１０に表示されるカーソル移動又はカーソルクリックの関連操作を制御することができる。しかし、この場合、マウス１３０は第２演算量をさらに実行すると、マウス１３０又は第１電子装置１１０の多くのソフトウェアとハードウェアの資源を消費するため、本来のカーソル移動又はカーソルクリックの操作の円滑性に影響する虞がある。従って、本発明のある実施例において、マウス１３０が第２演算量を直接に実行する代わりに、第２電子装置１２０又は他の装置は第２演算量を分担して実行すると共にマウス１３０は第２演算量の実行流れをさらに制御し第２演算量の実行完了の実行結果を受信する。換言すれば、上述した異なる装置で演算量を分担して実行することにより、多様な異なる機能操作を実行する場合、マウス１３０は依然として一定の操作円滑性及び操作利便性を有する。
【００１３】
ある実施例において、マウス１３０のプロセッサー１３１は、マウス１３０自身で処理可能である演算量、あるいは第２電子装置１２０のプロセッサー１２１又は他の電子装置で処理可能である演算量に対する計算及び分配に応用してよい。例として、マウス１３０は、全ての計算必要のある演算量中の第１比率を、マウス１３０自身のプロセッサー１１１に分配して実行させ、全ての計算必要のある演算量中の他の第２比率を、第２電子装置１２０のプロセッサー１２１に分配して実行させてよいが、本発明において分配比例に制限されない。例として、第１比率は、主にマウス１３０の本来の正常操作に影響しないように設計される。第１比率は、第１演算量であってよい。第１演算量は、例えば、制御カーソル、移動フォルダ又はカーソルクリックに応用されてよいが、これに制限されない。第２比率は、第２演算量であってよい。第２演算量は、例えば、画像処理、ファイルの分析と統計、マクロ命令制御、音声識別、データファイルアクセス又は人間インタラクティブに応用されてよいが、これに制限されない。
【００１４】
ある実施例において、マウス１３０には、さらに、メモリ、タッチパネル、音声入力部材、映像識別部材の中の一つ又は任意の組合せなどの付加機能操作が設けられてよい。マウス１３０に設けられるメモリは、個人の必要のファイル又は命令を記憶してよい。例えば、マウス１３０の操作又はあるアプリケーションの実行に関するショートカット命令、あるいはマクロ命令が、マウス１３０のメモリに格納されてよい。マウス１３０に設けられるタッチパネルは、手書き識別入力又はタッチ入力の関連操作を提供してよい。マウス１３０に設けられる音声入力部材は、例えば、マイクロフォンであってよく、音声入力操作に使用されてよい。マウス１３０に設けられる映像識別部材は、映像入力識別の実行に使用されてよい。ここで記載されるマウス付加機能操作は、例として説明されるものだけであり、本発明を制限するものではない。
【００１５】
これにより、上記のように、本発明におけるマウス１３０が実行する演算量は、他の電子装置により柔軟に分担して処理されて、マウス自身の処理負担が低減される。
【００１６】
ある実施例において、マウス１３０が第１電子装置１１０に接続している場合、マウス１３０がタッチパネルを介してタッチ入力操作を取得すると、マウス１３０は、分担して演算を行うように、このタッチ入力操作の識別判断を第２電子装置１２０に出力してよい。第２電子装置１２０の内に予め取り付けられるエージェントアプリケーションは、マウス１３０に接続し、マウス１３０から出力されるタッチ入力操作に関する演算量を受信してから、第２電子装置１２０のハードウェア資源を利用してこのタッチ入力操作を識別し、識別済みの実行結果をマウス１３０へ返信する。これにより、マウス１３０は、実行結果により第１電子装置１１０に対して対応のタッチ入力操作を実行し、又はマウス１３０自身で対応のタッチ入力操作を実行してよい。
【００１７】
ある実施例において、マウス１３０が第１電子装置１１０に接続している場合、マウス１３０が音声入力部材を介して音声入力操作を取得すると、マウス１３０は、分担して演算を行うように、この音声入力操作の識別判断を第２電子装置１２０に出力してよい。第２電子装置１２０の内部に予め取り付けられるエージェントアプリケーションは、マウス１３０に接続し、マウス１３０から出力される音声入力操作に関する演算量を受信してから、第２電子装置１２０のハードウェア資源を使用してこの音声入力操作を識別し、識別済みの実行結果をマウス１３０へ返信する。これにより、マウス１３０は、実行結果により第１電子装置１１０に対して対応のタッチ入力操作を実行し、又はマウス１３０自身で対応のタッチ入力操作を実行してよい。
【００１８】
ある実施例において、マウス１３０が第１電子装置１１０に接続している場合、マウス１３０が映像識別部材を介して映像入力操作を取得すると、マウス１３０は、分担して演算を行うように、この映像音入力操作の識別判断を第２電子装置１２０に出力してよい。第２電子装置１２０の内部に予め取り付けられるエージェントアプリケーションは、マウス１３０に接続し、マウス１３０から出力される映像入力操作に関する演算量を受信してから、第２電子装置１２０のハードウェア資源を利用してこの映像入力操作を識別し、識別済みの実行結果をマウス１３０へ返信する。これにより、マウス１３０は、実行結果により第１電子装置１１０に対して対応の映像入力操作を実行し、又はマウス１３０自身で対応の映像入力操作を実行してよい。
【００１９】
なお、マウス１３０と第２電子装置１２０とが無線で輸送される。つまり、マウス１３０は、第２電子装置１２０に分担して処理させる演算量に関するファイルを第２電子装置１２０に無線出力すると共に第２電子装置１２０から返信される実行結果を無線で受信することもできる。
【００２０】
なお、マウス１３０が第１電子装置１１０に有線接続している場合、マウスは、本来のマウス１３０と第１電子装置１１０との接続に影響することなく、第２演算量を無線による輸送チャンネル出力で第２電子装置１２０へ出力するようになる。
【００２１】
また、マウス１３０が第１電子装置１１０に無線接続している場合、マウス１３０から第２演算量を第２電子装置１２０に出力すると、マウス１３０は、第１電子装置１１０との接続を一時的に停止させると共に第２電子装置１２０に無線接続し、マウス１３０からの第２演算量の第２電子装置１２０への伝送が完了した後、マウス１３０が第２電子装置１２０の実行結果を受信すると、第２電子装置１２０との無線接続を停止させると共に再度第１電子装置１１０に無線接続してよい。なお、ある実施例において、マウス１３０による第２演算量の第２電子装置１２０への伝送が完了すると、マウス１３０は、第２電子装置１２０との無線接続を停止させると共に第１電子装置１１０に無線接続した後、マウス１３０が所定の時間毎に第１電子装置１１０との無線接続を停止させると共に第２電子装置１２０に無線接続し、第２電子装置１２０による第２演算量の実行が完了したかを判断し、第２電子装置１２０による第２演算量の実行が完了したと判断した場合、実行結果をそのまま受信する。第２電子装置１２０による第２演算量の実行が完了していないと判断した場合、マウス１３０は第２電子装置１２０との無線接続を停止させると共に第１電子装置１１０に無線接続することによって、マウス１３０が第２電子装置１２０の実行結果を受信するまで上述の動作を繰り返して行う。
【００２２】
図２は本発明の他の実施例における演算量分担機能付きコンピュータ入力システム（以下、コンピュータ入力システム２００を称する）のブロック図である。コンピュータ入力システム２００は、第１電子装置２１０、第２電子装置２２０、マウス２３０及びクラウドサーバ２４０を備える。更に、第１電子装置２１０は、プロセッサー１１１及び無線通信モジュール２１５を備える。第２電子装置１２０は、プロセッサー１２１及び無線通信モジュール２２５を備える。マウス１３０はプロセッサー１３１及び無線通信モジュール２３５を備える。また、コンピュータ入力システム２００の主要な操作手段は、コンピュータ入力システム１００とほぼ同じであるため、ここで重複に説明しない。以下、異なる部分に対して説明する。
【００２３】
図２に示す無線通信モジュール２１５、２２５、２３５の機能操作は、図１でのレシーバと同じであるが、この実施例における無線通信モジュール２１５、２２５、２３５は、例えば、ＷＩＦＩ通信モジュール又は移動通信モジュールであるため、伝送速度がより速く且つ輸送距離がより遠い無線ネットワーク通信機能を提供することができる。ネットワーク環境に設けられるクラウドサーバ２４０に第１電子装置２１０又は第２電子装置２２０が登録し接続することができ、このクラウドサーバ２４０がクラウド記憶及びクラウド計算のファイル処理機能を提供することができる。
【００２４】
ある実施例において、マウス１３０から第２演算量を第２電子装置２２０へ出力すると、第２電子装置２２０でのエージェントアプリケーションによりこの第２演算量をクラウドサーバ２４０へ出力し、クラウドサーバ２４０により第２演算量を処理してよい。また、クラウドサーバ２４０により第２演算量の実行が完了した後、実行結果を第２電子装置２２０へ返信し、第２電子装置２２０がこの実行結果を受信してからマウス２３０へ返信するようになる。
【００２５】
なお、第２電子装置２２０が第２演算量をクラウドサーバ２４０に出力すると共に関連の身分情報を輸送するようしてもよい。関連の身分情報は、マウス２３０と第２電子装置２２０との接続時の第２組の識別コードである。第２組の識別コードには、クラウドサーバ２４０が分担必要のあるマウス２３０の第２演算量を了解できるように、マウス２３０のシーケンス番号及び第２電子装置２１０のシーケンス番号を含む。第２演算量が第２電子装置２２０により提供される。
【００２６】
ある実施例において、クラウドサーバ２４０が受信される第２演算量の計算要求は、マウス２３０のファイルのアクセスのためにネットワーク記憶空間を提供することであってよい。例えば、ユーザは、マウス２３０の作業に合わせて使用される関連のショートカット命令又はマクロ命令をクラウドサーバ２４０の記憶空間に格納してよい。従って、マウス２３０が操作し使用される途中、これらのショートカット命令又はマクロ命令を使用する必要があれば、マウス２３０は、クラウドサーバ２４０のファイルのアクセスに必要の第２演算量を出力した後、マウス２３０が第２電子装置２２０により関連のショートカット命令又はマクロ命令を取得し、マウス２３０がこれらの命令により接続中の第１電子装置２１０に対して後の制御作業を行ってよい。
【００２７】
図３に示すように、図３は本発明のまた他の実施例における演算量分担機能付きコンピュータ入力システム（以下、コンピュータ入力システム３００を称する）のブロック図である。
【００２８】
コンピュータ入力システム３００は、第１電子装置３１０、第２電子装置３２０、第３電子装置３３０、マウス３４０及びクラウドサーバ３５０を備える。更に、第１電子装置３１０は、プロセッサー３１１、トランシーバ３１３及び無線通信モジュール３１５を備える。第２電子装置３２０は、プロセッサー３２１、トランシーバ３２３及び無線通信モジュール３２５を備える。第３電子装置３３０は、プロセッサー３３１、トランシーバ３３３及び無線通信モジュール３３５を備える。マウス３４０は、プロセッサー３４１、トランシーバ３４３及び無線通信モジュール３４５を備える。コンピュータ入力システム３００の主要な操作手段は、コンピュータ入力システム１００、２００とほぼ同じであるため、ここで重複して説明しない。以下、異なる部分に対して説明する。
【００２９】
ある実施例において、マウス３４０に実行される演算量は、同時又は個別的に複数の電子装置により実行されてよい。例えば、本実施例において、合計３つの電子装置があるが、本発明は電子装置の数に制限されない。マウス３４０のトランシーバ３４３は、第１電子装置３１０のトランシーバ３１３、第２電子装置３２０のトランシーバ３２３及び第３電子装置３３０のトランシーバ３３３に接続して通信されてよい。マウス３４０の無線通信モジュール３４５は、第１電子装置３１０の無線通信モジュール３１５、第２電子装置３２０の無線通信モジュール３２５及び第３電子装置３３０の無線通信モジュール３３５に接続して通信されてよい。ある実施例において、マウス３４０は、トランシーバ３４３を介して第１電子装置３１０に接続すると共に無線通信モジュール３４５を介して第２電子装置３２０又は第３電子装置３３０に接続するようにしてよい。このように、第２電子装置３２０又は第３電子装置３３０に分担して処理させるようにマウス３４０から第２演算量を第２電子装置３２０又は第３電子装置３３０を出力すると、マウス３４０と第１電子装置３１０との接続を停止させる必要がない。
【００３０】
本実施例において、複数の電子装置の設置は、処理される第２演算の数又は種類が多い場合、これらの第２演算量を複数の電子装置に配分し、複数の電子装置に分担して処理させることができるという点で有利である。例として、マウス３４０は、ファイルの分析と統計機能を第２電子装置３２０のプロセッサー３２１に伝送して実行させ、画像処理機能を第３電子装置３３０のプロセッサー３３１に伝送して実行させ、音声識別機能を第４電子装置（図示せず）のプロセッサーに伝送して実行させ、人間インタラクティブ機能を第５電子装置（図示せず）のプロセッサーに伝送して実行させ、データファイルアクセス操作をクラウドサーバ３５０に伝送して処理させるようにしてもよい。
【００３１】
図１及び図４を共に参照すると、図４は本発明のある実施例における演算量分担機能付きコンピュータ入力方法（以下、単にコンピュータ入力方法を称する）の方法フロー図である。コンピュータ入力方法は、演算量分担機能付きコンピュータ入力システムに応用される。演算量分担機能付きコンピュータ入力システムは、例えば各実施例における一つ又は組合せであってよい。ここで、図１での演算量分担機能付きコンピュータ入力システムを例として図４フロー図を説明する。
【００３２】
コンピュータ入力方法は、コンピュータ入力システム１００に応用される。ステップS４０１において、マウス１３０が第１電子装置に接続される。即ち、ユーザは、マウス１３０により第１電子装置１１０に対して関連の入力操作を行ってよい。
【００３３】
ステップS４０３において、マウス１３０は第１演算量を実行する。ステップS４０３において、マウス１３０は、操作により第１電子装置１１０の操作に関連する第１演算量を実行する。例えば、マウス１３０は、第１電子装置１１０に対してカーソル入力又はカーソルクリックに関連する入力操作を実行するが、マウス１３０自身にとって、これらの操作が、直接実行されてよい第１演算量と見なされる。
【００３４】
ステップS４０５において、マウス１３０から第２演算量を第２電子装置１２０に出力する。ステップS４０５において、ユーザのマウスへの操作が第１演算量ではない場合、これらの入力操作に必要な演算量が第２演算量と見なされる。即ち、第２演算量は、マウス１３０自身で直接実行されず、マウス１３０により第２電子装置１２０のプロセッサー１２１に分担して実行される。
【００３５】
ステップS４０７において、マウス１３０が第２演算量の実行結果を受信する。ステップS４０７において、第２電子装置１２０による実行が完了した第２演算量をマウス１３０へ返信し、マウス１３０がこの実行結果により対応の動作を行う。
【００３６】
要するには、本発明は、マウス、第１電子装置及び第２電子装置を備える演算量分担機能付きコンピュータ入力システムを提案する。マウスに処理される演算量が多い場合、マウスの処理負担を低減するために、マウスは、演算量を第１演算量及び第２演算量に分けて、第１演算量だけに対して処理を行い、本来のマウスに実行される第２演算量を第２電子装置により分担して実行させるようになる。換言すれば、本発明は、本来のマウスに実行される第２演算量を、マウス以外の電子装置又はクラウドサーバにより代行することを提案する。したがって、マウスの演算量を有効に減少し、マウスのプロセッサーの作動効率を向上すると共にマウスと第１電子装置との接続操作中の円滑性に影響しないことを確保することができる。
【００３７】
上記の説明は本発明の実施例にすぎず、本発明の特許請求の範囲を限定するものではない。当業者による本発明の要旨と範囲に基づき為された変更及び修飾の等価な切換は、全て本発明の特許請求の範囲に含まれる。
【符号の説明】
【００３８】
１００、２００、３００    コンピュータ入力システム
１１０、２１０、３１０    第１電子装置
１２０、２２０、３２０    第２電子装置
３３０    第３電子装置
１１１、１２１、１３１、３１１、３２１、３３１、３４１    プロセッサー
１１３、１２３、１３３、３１３、３２３、３３３、３４３    トランシーバ
２１５、２２５、２３５、３１５、３２５、３３５、３４５    無線通信モジュール
１３０、２３０、３４０    マウス 
２４０、３５０    クラウドサーバ
S４０１    マウスの第１電子装置への接続
S４０３    マウスによる第１演算量の実行
S４０５    第２演算量の第２電子装置への出力
S４０７    第２演算量の実行結果の受信
【図１】
2019169134.tif 000003
【図２】
2019169134.tif 000004
【図３】
2019169134.tif 000005
【図４】
2019169134.tif 000006